(57)【要約】【課題】手や足の指の爪を切ることができ、更に、甘皮も良好に切ることができる爪切りを提供する。【解決手段】上刃１３と下刃１５とからなる刃部１１を有する爪切り本体１０と、この爪切り本体１０の刃部１１の上刃１３と下刃１５とを互いに当接させるための操作レバー２０と、爪切り本体１０を貫通し且つ操作レバー２０と嵌り合うピン部材３０と、を備え、爪切り本体１０が、長側面１７と短側面１９とを有し、長側面１７側に切欠部４１が形成されており、刃部１１は、爪切り本体１０の長側面１７側の端部の方が短側面１９側の端部に比べて突出し、刃部１１の上刃１３と下刃１５とを当接させた後、刃部１１の切欠部４１側の端部である鋭角端部４４においてその他の部分より大きな圧力がかかるようにする偏圧手段４０を有する爪切り１００。【選択図】図１
2016120068.tif 000002
【特許請求の範囲】
【請求項１】
上刃と下刃とからなる刃部を有する爪切り本体と、前記爪切り本体の前記刃部の前記上刃と前記下刃とを互いに当接させるための操作レバーと、前記爪切り本体を貫通し且つ前記操作レバーと嵌り合うピン部材と、を備え、
前記爪切り本体が、長側面と短側面とを有し、前記長側面側に切欠部が形成されており、
前記刃部は、前記爪切り本体の前記長側面側の端部の方が前記短側面側の端部に比べて突出しており、
前記刃部の前記上刃と前記下刃とを当接させた後、前記刃部の前記切欠部側の端部である鋭角端部側においてその他の部分より大きな圧力がかかるようにする偏圧手段を有する爪切り。
【請求項２】
前記操作レバーが、前記刃部の前記上刃と前記下刃とを互いに当接させる際に前記爪切り本体と当接する当接部分を有しており、
前記偏圧手段が、前記刃部の前記上刃と前記下刃とを当接させる際に、前記鋭角端部側の方が肉厚となっている前記当接部分を有する前記操作レバーである請求項１に記載の爪切り。
【請求項３】
前記操作レバーの前記当接部分に凸状の部分が形成され、前記凸状の部分によって前記鋭角端部側の方が肉厚となっている請求項２に記載の爪切り。
【請求項４】
前記ピン部材が、前記爪切り本体を貫通する柱状部と、前記柱状部の一方の端部に形成された頭部とを有し、
前記頭部は、前記ピン部材の中心軸を含み前記ピン部材の前記中心軸に平行な断面において、前記鋭角端部側の端部である延出端部が他の端部に比べて前記爪切り本体側に位置しており、
前記偏圧手段が、前記頭部における前記延出端部側の部分が前記爪切り本体と当接する前記ピン部材である請求項１に記載の爪切り。
【請求項５】
前記ピン部材が、前記ピン部材の中心軸に対して傾斜しており、前記操作レバーと嵌り合う嵌合部を有し、
前記偏圧手段が、前記嵌合部を有する前記ピン部材である請求項１に記載の爪切り。
【請求項６】
前記爪切り本体が、先端に前記上刃が形成された板状の上刃体と、先端に前記下刃が形成された板状の下刃体と、を備え、
前記偏圧手段が、前記上刃が形成された側の先端において前記鋭角端部が上方に位置するように傾斜する前記上刃体である請求項１に記載の爪切り。
【請求項７】
前記偏圧手段が、前記鋭角端部側の方が幅広である前記上刃及び前記下刃の少なくとも一方の刃である請求項１に記載の爪切り。
【請求項８】
前記操作レバーが、前記刃部の前記上刃と前記下刃とを互いに当接させる際に前記爪切り本体と当接する当接部分を有しており、
前記偏圧手段が、前記爪切り本体の、前記刃部の前記上刃と前記下刃とを互いに当接させる際に前記当接部分と当接する位置に形成された凸状の部分である請求項１に記載の爪切り。
【発明の詳細な説明】
【技術分野】
【０００１】
本発明は、爪切りに関し、更に詳しくは、手や足の指の爪を切ることができ、更に、甘皮も良好に切ることができる爪切りに関する。
【背景技術】
【０００２】
従来、手や足の指の爪を切るために爪切りが用いられている（例えば、特許文献１参照）。一方、甘皮（爪上皮）を切るためには、爪切りでは適当でなく甘皮を切るための道具として甘皮切りが知られている。
【先行技術文献】
【特許文献】
【０００３】
【特許文献１】特開２０１０−１７２５７３号公報
【発明の概要】
【発明が解決しようとする課題】
【０００４】
しかし、特許文献１に記載の爪切りは、甘皮を切ろうとすると、甘皮が十分に切れないことがある。つまり、甘皮の一部は切れても残りの部分が切れない状態や、甘皮が単に折れ曲がった状態になってしまうことがあった。
【０００５】
また、爪を切る際には甘皮も切ることが希望される場合があるが、爪切りと甘皮切りの両方を用意し、これらを使い分けて使用するのは手間であった。
【０００６】
そのため、手や足の指の爪を切ることができ、更に、甘皮も良好に切ることができる道具（爪切り）の開発が切望されていた。
【０００７】
本発明は、このような従来技術の有する問題点に鑑みてなされたものであり、その課題とするところは、手や足の指の爪を切ることができ、更に、甘皮も良好に切ることができる爪切りを提供することにある。
【課題を解決するための手段】
【０００８】
本発明によれば、以下に示す、爪切りが提供される。
【０００９】
［１］  上刃と下刃とからなる刃部を有する爪切り本体と、前記爪切り本体の前記刃部の前記上刃と前記下刃とを互いに当接させるための操作レバーと、前記爪切り本体を貫通し且つ前記操作レバーと嵌り合うピン部材と、を備え、前記爪切り本体が、長側面と短側面とを有し、前記長側面側に切欠部が形成されており、前記刃部は、前記爪切り本体の前記長側面側の端部の方が前記短側面側の端部に比べて突出しており、前記刃部の前記上刃と前記下刃とを当接させた後、前記刃部の前記切欠部側の端部である鋭角端部側においてその他の部分より大きな圧力がかかるようにする偏圧手段を有する。
【００１０】
［２］  前記操作レバーが、前記刃部の前記上刃と前記下刃とを互いに当接させる際に前記爪切り本体と当接する当接部分を有しており、前記偏圧手段が、前記刃部の前記上刃と前記下刃とを当接させる際に、前記鋭角端部側の方が肉厚となっている前記当接部分を有する前記操作レバーである前記［１］に記載の爪切り。
【００１１】
［３］  前記操作レバーの前記当接部分に凸状の部分が形成され、前記凸状の部分によって前記鋭角端部側の方が肉厚となっている前記［２］に記載の爪切り。
【００１２】
［４］  前記ピン部材が、前記爪切り本体を貫通する柱状部と、前記柱状部の一方の端部に形成された頭部とを有し、前記頭部は、前記ピン部材の中心軸を含み前記ピン部材の前記中心軸に平行な断面において、前記鋭角端部側の端部である延出端部が他の端部に比べて前記爪切り本体側に位置しており、前記偏圧手段が、前記頭部における前記延出端部側の部分が前記爪切り本体と当接する前記ピン部材である前記［１］に記載の爪切り。
【００１３】
［５］  前記ピン部材が、前記ピン部材の中心軸に対して傾斜しており、前記操作レバーと嵌り合う嵌合部を有し、前記偏圧手段が、前記嵌合部を有する前記ピン部材である前記［１］に記載の爪切り。
【００１４】
［６］  前記爪切り本体が、先端に前記上刃が形成された板状の上刃体と、先端に前記下刃が形成された板状の下刃体と、を備え、前記偏圧手段が、前記上刃が形成された側の先端において前記鋭角端部が上方に位置するように傾斜する前記上刃体である前記［１］に記載の爪切り。
【００１５】
［７］  前記偏圧手段が、前記鋭角端部側の方が幅広である前記上刃及び前記下刃の少なくとも一方の刃である前記［１］に記載の爪切り。
【００１６】
［８］  前記操作レバーが、前記刃部の前記上刃と前記下刃とを互いに当接させる際に前記爪切り本体と当接する当接部分を有しており、前記偏圧手段が、前記爪切り本体の、前記刃部の前記上刃と前記下刃とを互いに当接させる際に前記当接部分と当接する位置に形成された凸状の部分である前記［１］に記載の爪切り。
【発明の効果】
【００１７】
本発明の爪切りは、刃部の上刃と下刃とを当接させた後、刃部の切欠部側の端部である鋭角端部側においてその他の部分より大きな圧力がかかるようにする偏圧手段を有するため、手や足の指の爪を切ることができ、更に、甘皮も良好に切ることができる。
【図面の簡単な説明】
【００１８】
【図１】本発明の爪切りの一の実施形態を模式的に示す斜視図である。
【図２】図１に示す爪切りを上方から見た状態を模式的に示す平面図である。
【図３】図１に示す爪切りを側面から見た状態を模式的に示す側面図である。
【図４】図１に示す爪切りを正面から見た状態を模式的に示す正面図である。
【図５】本発明の爪切りの他の実施形態を模式的に示す側面図である。
【図６】図５に示す爪切りを正面から見た状態を模式的に示す正面図である。
【図７】本発明の爪切りの更に他の実施形態を正面から見た状態を模式的に示す正面図である。
【図８】図７に示す爪切りのピン部材をその中心軸に平行な面で切断したときの断面を模式的に示す断面図である。
【図９】本発明の爪切りの更に他の実施形態を正面から見た状態を模式的に示す正面図である。
【図１０】図９に示す爪切りのピン部材をその中心軸に平行な面で切断したときの断面を模式的に示す断面図である。
【図１１】本発明の爪切りの他の実施形態を模式的に示す側面図である。
【図１２】図１１に示す爪切りを正面から見た状態を模式的に示す正面図である。
【図１３】本発明の爪切りの更に他の実施形態を正面から見た状態を模式的に示す正面図である。
【図１４】本発明の爪切りの更に他の実施形態における刃部の上刃と下刃とを模式的に示す正面図である。
【図１５】本発明の爪切りの更に他の実施形態における刃部の上刃と下刃とを模式的に示す正面図である。
【図１６】本発明の爪切りの他の実施形態を模式的に示す側面図である。
【図１７】図１６に示す爪切りの爪切り本体のみを操作レバー側から見た状態を模式的に示す平面図である。
【図１８】本発明の爪切りの他の実施形態を上方から見た状態を模式的に示す平面図である。
【図１９】本発明の爪切りの他の実施形態を側面から見た状態を模式的に示す側面図である。
【図２０】本発明の爪切りの他の実施形態を正面から見た状態を模式的に示す正面図である。
【発明を実施するための形態】
【００１９】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
［１］爪切り：
本発明の爪切りは、上刃と下刃とからなる刃部を有する爪切り本体と、この爪切り本体の刃部の上刃と下刃とを互いに当接させるための操作レバーと、爪切り本体を貫通し且つ操作レバーと嵌り合うピン部材と、を備えている。そして、本発明の爪切りの爪切り本体は、長側面と短側面とを有し、長側面側に切欠部が形成されている。また、刃部は、爪切り本体の長側面側の端部の方が短側面側の端部に比べて爪切り本体の中心軸方向に突出している。更に、本発明の爪切りは、刃部の上刃と下刃とを当接させた後、刃部の切欠部側の端部である鋭角端部側においてその他の部分より大きな圧力がかかるようにする偏圧手段を有する。
【００２１】
このような爪切りは、刃部の上刃と下刃とを当接させた後、刃部の切欠部側の端部である鋭角端部側においてその他の部分より大きな圧力がかかるようにする偏圧手段を有するため、手や足の指の爪を切ることができ、更に、鋭角端部において甘皮も良好に切ることができる。
【００２２】
なお、従来の爪切りは、刃部を閉じて爪を切る場合、刃部の中央部（即ち、刃部において、爪切りの中心軸近傍の部分）に刃部を閉じる力（圧力）が最も強く掛かり、刃部の両端部においては上記の力が掛かり難いものであった。そのため、従来の爪切りを使って甘皮などの薄いものを切ろうとすると、一部は切れても残りの部分が切れない状態や、甘皮が単に折れ曲がった状態になってしまうことがあった。
【００２３】
また、従来、甘皮を切るための道具として甘皮切りがあるが、この甘皮切りは、爪を切るには刃部に掛かる力が十分でなく、甘皮切りを爪切りとして代用することは難しい状況であった。甘皮切りは、甘皮やささくれのように、爪に比べて薄いものを切るためのものであり、このように薄いものを切るには、甘皮などを摘まむことができる細い先端部分に力が掛かるようになっている。一方で、細い先端部分以外の部分には、十分な力が掛かり難い。そのため、甘皮切りでは爪をきれいに且つ簡単に切ることが難しい。
【００２４】
本発明の爪切りは、上記偏圧手段を有するものである限りその実施態様は特に制限されるものではなく、例えば、以下に示す各実施形態を挙げることができる。なお、本発明の効果を奏する限り、以下に示す各実施形態をそれぞれ組み合わせてもよい。また、上刃と下刃とは、爪切り１０５（図１３参照）を除き、互いに平行である（つまり、上刃と下刃との間隔はどの位置でも均等である）。
【００２５】
［１−１］操作レバー改良型（１）：
本発明の爪切りの一実施形態は、図１〜図４に示す爪切り１００である。この爪切り１００は、上刃１３と下刃１５とからなる刃部１１を有する爪切り本体１０と、爪切り本体１０の刃部１１の上刃１３と下刃１５とを互いに当接させるための操作レバー２０と、爪切り本体１０を貫通し且つ操作レバー２０と嵌り合うピン部材３０と、を備えている。そして、爪切り本体１０は、長側面１７と短側面１９とを有し、長側面１７側に切欠部４１が形成されている。切欠部４１は、長側面１７側であって刃部１１側の端部に形成されている。また、刃部１１は、爪切り本体１０の長側面１７側の端部の方が短側面１９側の端部に比べて爪切り本体１０の中心軸方向に突出している。そして、爪切り１００は、刃部１１の上刃１３と下刃１５とを当接させた後（即ち、爪や甘皮を切るために刃部を閉じた際）に、刃部１１の切欠部４１側の端部である鋭角端部４４側においてその他の部分より大きな圧力がかかるようにする偏圧手段４０を有している。具体的には、爪切り１００は、操作レバー２０が、刃部１１の上刃１３と下刃１５とを互いに当接させる際に爪切り本体１０と当接する当接部分５１を有している。そして、爪切り１００において、偏圧手段４０は、刃部１１の上刃１３と下刃１５とを当接させる際に、鋭角端部４４側の方が肉厚となっている当接部分５１（肉厚部分５１ａ）を有する上記操作レバー２０である。なお、本発明の爪切りは、上記偏圧手段によって刃部にかかる圧力を偏在させているが、刃部を閉じる圧力は、鋭角端部のみにかかるのではない。つまり、刃部を閉じる圧力は、刃部の全体にかかることを前提とし、鋭角端部においてその他の部分より大きくなる。また、本発明の爪切りは、刃部の上刃と下刃とを当接させた後、更に刃部を閉じるように力を加えると、偏圧手段によって鋭角端部側においてその他の部分より大きな圧力がかかるものである。
【００２６】
このような爪切り１００は、爪切り本体１０が、上刃１３と下刃１５とからなる刃部１１を有しているため、この刃部１１を閉じることにより手や足の指の爪を切ることができる。更に、爪切り１００は、操作レバー２０の当接部分５１が鋭角端部４４側において肉厚となっている肉厚部分５１ａを有している。そのため、操作レバー２０を操作して爪切り本体１０の刃部１１を閉じると、上刃１３と下刃１５が当接した後、刃部１１の鋭角端部４４側においてその他の部分より大きな圧力がかかることになる。従って、爪切り１００は、鋭角端部４４において甘皮も良好に切ることができる。
【００２７】
図１は、本発明の爪切りの一の実施形態を模式的に示す斜視図である。図２は、図１に示す爪切りを上方から見た状態を模式的に示す平面図である。図３は、図１に示す爪切りを側面から見た状態を模式的に示す側面図である。図４は、図１に示す爪切りを正面から見た状態を模式的に示す正面図である。
【００２８】
［１−１−１］爪切り本体：
爪切り本体１０は、上刃１３と下刃１５とからなる刃部１１を有し、先端に上刃１３が形成された板状の上刃体１２と、先端に下刃１５が形成された板状の下刃体１４と、を備え、上刃体１２と下刃体１４は、刃部１１とは反対側の先端部において互いに固定されている。そして、爪切り本体１０は、刃部１１側の端部に、ピン部材３０を挿入する貫通孔３１が形成されている。この貫通孔３１は、ピン部材３０と爪切り本体１０とが接触しない程度に大きいものとすることができる。つまり、貫通孔３１の部分において、ピン部材３０と爪切り本体１０との間には隙間が生じていてもよい。
【００２９】
爪切り本体１０における刃部１１は、爪切り本体１０の長側面１７側の端部の方が短側面１９側の端部に比べて爪切り本体１０の中心軸方向に突出している。
【００３０】
例えば、図２に示すように、爪切り本体１０の中心軸方向に対して斜めに形成することができ、このように形成することにより、足の指の爪も簡単に切ることができる。つまり、刃部１１は、図２に示すように、刃先の形状（爪切りを上方から見たときの刃の縁）が直線状とすることができる。また、図２のように上方から爪切りを見た場合、刃部は、凹状に湾曲した形状であってもよい。
【００３１】
爪切り本体１０における刃部１１の長さＬ（図２参照）は、特に制限はないが、爪切り本体１０の最大幅の１．０５〜１．３５倍の長さであることができる。このような条件とすることにより、手や足の指の爪を良好に切ることができる。
【００３２】
爪切り本体１０の切欠部４１は、爪切り本体１０の長側面１７側に形成されており、この切欠部４１を形成することにより、甘皮を切る際に甘皮を目視で確認し易くなる。つまり、甘皮を根本から確実に切断することができる。
【００３３】
［１−１−２］操作レバー：
操作レバー２０は、ピン部材３０と係合しており、この操作レバー２０を爪切り本体１０側に押し下げることにより刃部１１が閉まり、爪や甘皮などを簡単に切ることができる。この操作レバー２０は、ピン部材３０を中心に自在に回転することができる。
【００３４】
操作レバー２０は、爪切り本体１０側に押し下げられる際に（つまり、刃部１１の上刃１３と下刃１５とを互いに当接させる際に）、爪切り本体１０と当接する当接部分５１を有している。爪切り１００は、操作レバー２０を爪切り本体１０側に押し下げると、操作レバー２０の当接部分５１の一部分が起点となり、刃部１１が閉じることになる。
【００３５】
ここで、「鋭角端部側の方が肉厚となっている当接部分を有する」とは、当接部分が均一な厚さでなく、鋭角端部側の方が肉厚であることを意味する。そして、肉厚部分は、当接部分の中で最も薄い部分よりも厚ければ良いが、具体的には、当接部分の中で最も薄い部分よりも０．０１〜２．０ｍｍ厚いことができる。この厚さは、肉厚部分のうち、最も厚い部分の厚さを測定したときの値である。このような範囲とすることにより、鋭角端部において甘皮もより良好に切ることができる。
【００３６】
本発明の爪切りは、操作レバーの当接部分に凸状の部分が形成され、この凸状の部分によって鋭角端部側の方が肉厚となっているものであってもよい。このような構成とすることにより、簡単に鋭角端部側の方を肉厚とすることができる。
【００３７】
図５、図６に示す爪切り１０１は、操作レバー２０の当接部分５１に凸状の部分（第１凸部）５２が形成される。図５は、本発明の爪切りの他の実施形態を模式的に示す側面図である。図６は、図５に示す爪切りを正面から見た状態を模式的に示す正面図である。
【００３８】
第１凸部（凸状の部分）５２は、どのような形状であってもよく、例えば、円柱状、円錐状、角柱状などとすることができる。そして、例えば、円柱状の場合、特に制限はないが、直径を０．１〜５ｍｍとすることができる。
【００３９】
第１凸部５２は、操作レバーと一体に形成してもよいし、別体のもの（凸状物）を用意し、その別体の凸状物を操作レバーに固定したものであってもよい。別体の凸状物とする場合、その材質は特に制限はない。
【００４０】
第１凸部５２は、１つであってもよいし、複数形成されていてもよい。
【００４１】
［１−１−３］ピン部材：
ピン部材３０は、爪切り本体１０の貫通孔３１に挿入される柱状部３３と、この柱状部３３の一方の端部に形成された頭部３５とを有し、この頭部３５が爪切り本体１０の下刃体１４と当接している。ピン部材３０の柱状部３３の他方の端部には、操作レバー２０が嵌るための嵌合部３７が形成されている。この嵌合部は、ピン部材と操作レバーとが嵌り合うものである限り特に制限はない。嵌合部は、例えば、貫通孔、凹部などとすることができる。
【００４２】
なお、操作レバーには、ピン部材の嵌合部と嵌り合うための部材（例えば、棒状の部材）が形成されていてもよい。
【００４３】
［１−２］操作レバー改良型（２）： 
本発明の爪切りの更に他の実施形態は、図１８に示す爪切り１０７である。この爪切り１０７は、偏圧手段４０が異なること以外は、上述した爪切り１００と同じ構成を有するものである。図１８は、本発明の爪切りの更に他の実施形態を上方から見た状態を模式的に示す平面図である。
【００４４】
具体的には、爪切り１０７は、操作レバー２０が、刃部１１の上刃１３と下刃とを互いに当接させる際に爪切り本体と当接する当接部分とこの当接部分に連なる把持部とを有しており、当接部分と把持部との境界が、操作レバーの中心軸に対して斜めに形成されている。更に、上記境界は、刃部の上刃と下刃とを互いに当接させる際に爪切りを上方から見た場合、刃部とのなす形状がハの字状となるように操作レバーの中心軸に対して斜めに形成されている。そして、爪切り１０７は、偏圧手段４０が、この操作レバー２０である。
【００４５】
このような爪切り１０７は、爪切り本体１０が、上刃１３と下刃１５とからなる刃部１１を有しているため、この刃部１１を閉じることにより手や足の指の爪を切ることができる。更に、偏圧手段として上記操作レバーを備えることにより、操作レバー２０によって爪切り本体１０の刃部１１を閉じるときに（即ち、刃部１１の上刃１３と下刃１５とを互いに当接させる際に）、刃部１１の鋭角端部４４側の方がその他の部分よりも強い力を受ける。そのため、鋭角端部４４において甘皮も良好に切ることができる。
【００４６】
［１−３−１］ピン部材の頭部改良型：
本発明の爪切りの更に他の実施形態としては、図７に示す爪切り１０２を挙げることができる。この爪切り１０２は、偏圧手段４０が異なること以外は、上述した爪切り１００と同じ構成を有するものである。図７は、本発明の爪切りの更に他の実施形態を正面から見た状態を模式的に示す正面図である。
【００４７】
本実施形態においては、ピン部材が、爪切り本体を貫通する柱状部と、柱状部の一方の端部に形成された頭部とを有し、この頭部は、ピン部材の中心軸を含みピン部材の中心軸に平行な断面において、「鋭角端部側の端部である延出端部」が他の端部に比べて爪切り本体側に位置している。なお、上記断面は、爪切り本体の中心軸に直交する面である。そして、本実施形態において、偏圧手段は、頭部における延出端部側の部分が爪切り本体と当接するピン部材である。図７に示す爪切り１０２は、より具体的な態様を示している。即ち、ピン部材３０（図８参照）が、爪切り本体１０の貫通孔３１に挿入される柱状部３３と、この柱状部３３の一方の端部に形成され、刃部１１の鋭角端部４４側において爪切り本体１０に延出する延出部３５ａを有するように変形された頭部３５とを有し、偏圧手段４０が、頭部３５のうちの延出部３５ａ（延出端部側の部分）が爪切り本体１０と当接するピン部材３０である。図８は、図７に示す爪切りのピン部材をその中心軸に平行な面で切断したときの断面を模式的に示す断面図である。
【００４８】
このような爪切り１０２は、爪切り本体１０が、上刃１３と下刃１５とからなる刃部１１を有しているため、この刃部１１を閉じることにより手や足の指の爪を切ることができる。更に、「延出部３５ａを有する頭部３５」のような偏圧手段を備えることにより、操作レバー２０によって爪切り本体１０の刃部１１を閉じるときに（即ち、刃部１１の上刃１３と下刃１５とを互いに当接させる際に）、刃部１１の鋭角端部４４側の方がその他の部分よりも強い力を受ける。そのため、鋭角端部４４において甘皮も良好に切ることができる。
【００４９】
通常、ピン部材の頭部は、ドーム状や平板状であるが、爪切り１０２の「ピン部材の頭部」は、通常のピン部材の頭部と比較して一部が変形したものである。具体的には、爪切り１０２の「ピン部材の頭部」は、刃部の上刃と下刃とを互いに当接させる際に、刃部の鋭角端部４４側に対応する位置に延出部を有するものである。より具体的には、爪切り１０２の「ピン部材の頭部」は、ピン部材の中心軸を含みこの中心軸に平行な断面において、ピン部材の中心軸とのなす角度θ１（図８参照）が直角でない面（傾斜面）を有するように変形したものである。上記断面における「傾斜面とピン部材の中心軸とのなす角度θ１」は、特に制限はないが、例えば、０．０１〜８９°とすることができる。このような範囲とすることにより、鋭角端部４４において甘皮もより良好に切ることができる。
【００５０】
ここで、ピン部材の中心軸を含みこの中心軸に平行な断面において、ピン部材の中心軸とのなす角度θ１が直角である面を直角面Ａ（図８参照）とすると、爪切り１０２は、直角面Ａと爪切り本体１０の下刃体１４との間の距離Ｘ（図７参照）を０．００１〜５ｍｍとすることができる。このような範囲とすることにより、鋭角端部４４において甘皮もより良好に切ることができる。
【００５１】
図７に示す爪切り１０２は、本実施形態の一態様であり、本実施形態の爪切りは、頭部が、ピン部材の中心軸を含みピン部材の中心軸に平行な断面において、「鋭角端部側の端部である延出端部」が他の端部に比べて爪切り本体側に位置していればよい。なお、上記断面は、爪切り本体の中心軸に直交する面である。本実施形態の爪切りには、ドーム状や平板状などの頭部が、ピン部材の中心軸に対して傾斜するように傾いて形成されたものが含まれる。また、本実施形態の爪切りには、図７に示す爪切り１０２の「延出部３５ａ」を変形させたものも含まれる。即ち、『「延出部３５ａ」を変形させたもの』としては、刃部の鋭角端部側に対応する部分が肉厚になって、図８に示す直角面Ａと段差が生じているものや、従来の頭部（ドーム状や平板状などのもの）における「刃部の鋭角端部側に対応する部分」に凸部が形成されたものなどを挙げることができる。
【００５２】
［１−３−２］ピン部材の嵌合部改良型：
本発明の爪切りの更に他の実施形態は、図９に示す爪切り１０３である。この爪切り１０３は、偏圧手段４０が異なること以外は、上述した爪切り１００と同じ構成を有するものである。図９は、本発明の爪切りの更に他の実施形態を正面から見た状態を模式的に示す正面図である。
【００５３】
具体的には、爪切り１０３は、ピン部材３０（図１０参照）が、このピン部材３０の中心軸に対して傾斜しており且つ操作レバー２０と嵌り合う嵌合部３７を有し、偏圧手段４０が、嵌合部３７を有するピン部材３０である。図１０は、図９に示す爪切りのピン部材をその中心軸に平行な面で切断したときの断面を模式的に示す断面図である。
【００５４】
このような爪切り１０３は、爪切り本体１０が、上刃１３と下刃１５とからなる刃部１１を有しているため、この刃部１１を閉じることにより手や足の指の爪を切ることができる。更に、「ピン部材３０の中心軸に対して傾斜している嵌合部３７を有するピン部材３０」を備えることにより、操作レバー２０によって爪切り本体１０の刃部１１を閉じるときに（即ち、刃部１１の上刃１３と下刃１５とを互いに当接させる際に）、刃部１１の鋭角端部４４側の方がその他の部分よりも強い力を受ける。そのため、鋭角端部４４において甘皮も良好に切ることができる。
【００５５】
嵌合部３７は、貫通孔、凹部などとすることができる。
【００５６】
嵌合部が「ピン部材の中心軸に対して傾斜している」とは、ピン部材の中心軸と嵌合部の中心軸とが直交せずに斜めであることを意味する。ピン部材の中心軸に対して傾斜している角度θ２（図１０参照）は、特に制限はないが、例えば、０．０１〜８９°とすることができる。「ピン部材の中心軸に対して傾斜している角度θ２」は、ピン部材の中心軸を含みこの中心軸に平行な断面における「嵌合部とピン部材の中心軸とのなす角度」のことである。このような範囲とすることにより、鋭角端部４４において甘皮もより良好に切ることができる。
【００５７】
［１−４−１］爪切り本体の変形改良型（１）：
本発明の爪切りの他の実施形態は、図１１、図１２に示す爪切り１０４である。この爪切り１０４は、偏圧手段４０が異なること以外は、上述した爪切り１００と同じ構成を有するものである。図１１は、本発明の爪切りの他の実施形態を模式的に示す側面図である。図１２は、図１１に示す爪切りを正面から見た状態を模式的に示す正面図である。
【００５８】
具体的には、爪切り１０４は、爪切り本体１０が、先端に上刃１３が形成された板状の上刃体１２と、先端に下刃１５が形成された板状の下刃体１４と、を備え、偏圧手段４０が、上刃１３が形成された側の先端において鋭角端部４４が上方に位置するように傾斜する上刃体１２である。
【００５９】
このような爪切り１０４は、爪切り本体１０が、上刃１３と下刃１５とからなる刃部１１を有しているため、この刃部１１を閉じることにより手や足の指の爪を切ることができる。更に、爪切り本体１０が上記上刃体１２を備えることにより、刃部１１の上刃１３と下刃１５とを互いに当接させた後、刃部１１の鋭角端部４４においてその他の部分より大きな圧力がかかることになる。そのため、鋭角端部４４において甘皮も良好に切ることができる。
【００６０】
爪切り１０４は、上刃１３が形成された側の先端において、爪切り本体１０の長側面１７側の厚さＴ１が、短側面１９側の厚さＴ２に比べて厚いということもできる。即ち、このような構成であると、上刃１３が形成された側の先端において鋭角端部４４が上方に位置するように傾斜していることになる。このとき、上刃と下刃とは、互いに平行であるか、或いは、鋭角端部側の方がその他の部分よりも互いに近接していることがよい。図１２では、上刃１３と下刃１５とが互いに平行である例を示している。なお、上刃１３と下刃１５は、図１４に示すように、一方の端部（鋭角端部）側の幅が広く（即ち、刃が長く）且つ他方の端部側の幅が狭い（刃が短い）上刃１３と、幅が一定の下刃１５との組み合わせであってもよい。また、上刃１３と下刃１５は、図１５に示すように、幅が一定の上刃１３と、一方の端部（鋭角端部）側の幅が広く（即ち、刃が長く）且つ他方の端部側の幅が狭い（刃が短い）下刃１５との組み合わせであってもよい。図１４は、本発明の爪切りの更に他の実施形態における刃部の上刃と下刃とを模式的に示す正面図である。図１５は、本発明の爪切りの更に他の実施形態における刃部の上刃と下刃とを模式的に示す正面図である。なお、図１４、図１５においては、刃部の上刃と下刃を示し、その他の部材は省略している。
【００６１】
［１−４−２］爪切り本体の変形改良型（２）：
本発明の爪切りの更に他の実施形態は、図１３に示す爪切り１０５である。この爪切り１０５は、偏圧手段４０が異なること以外は、上述した爪切り１００と同じ構成を有するものである。図１３は、本発明の爪切りの更に他の実施形態を正面から見た状態を模式的に示す正面図である。
【００６２】
具体的には、爪切り１０５は、偏圧手段４０が、鋭角端部４４側の方が幅広である上刃１３及び下刃１５の少なくとも一方の刃を有するものである。
【００６３】
このような爪切り１０５は、爪切り本体１０が、上刃１３と下刃１５とからなる刃部１１を有しているため、この刃部１１を閉じることにより手や足の指の爪を切ることができる。更に、上記刃を備えることにより、刃部１１の上刃１３と下刃１５とを互いに当接させる際に、刃部１１の鋭角端部４４側から先に上刃１３と下刃１５とが当接することになる。そのため、刃部１１の上刃１３と下刃１５とを当接させた後、刃部１１の切欠部４１側の端部である鋭角端部４４側においてその他の部分より大きな圧力がかかることになる。その結果、鋭角端部４４において甘皮も良好に切ることができる。
【００６４】
「鋭角端部側の方が幅広である」とは、上刃及び下刃の少なくとも一方の刃が、均一な幅でなく、鋭角端部側の方が幅広であることを意味する。そして、「幅広」とは、刃の幅が広いことを意味し、この「刃の幅」とは、図１３のように爪切りの刃部を正面から見た場合における刃の上下方向Ｙの長さをいう。
【００６５】
幅広の刃は、特に制限はないが、最も幅狭の部分を基準とした場合、最も幅広の部分が０．００１〜１．０ｍｍ広く（長く）なっていることがよい。このような範囲とすることにより、鋭角端部４４において甘皮もより良好に切ることができる。
【００６６】
なお、上刃及び下刃は、爪や甘皮を切る際に幅広の部分において重なってもよい。つまり、爪切りの操作レバーを最も押し込んだ場合、上刃と下刃は、幅広の部分において重なってもよい。
【００６７】
［１−４−３］爪切り本体の付加改良型（１）：
本発明の爪切りの更に他の実施形態は、図１６に示す爪切り１０６である。この爪切り１０６は、偏圧手段４０が異なること以外は、上述した爪切り１００と同じ構成を有するものである。図１６は、本発明の爪切りの他の実施形態を模式的に示す側面図である。
【００６８】
具体的には、爪切り１０６は、爪切り本体１０（図１７参照）が、刃部１１の上刃１３と下刃１５とを互いに当接させる際に操作レバー２０と当接する当接部分５１を有している。そして、爪切り１０６は、偏圧手段４０が、爪切り本体１０の、刃部１１の上刃１３と下刃１５とを互いに当接させる際に当接部分５１と当接する位置に形成された凸状の部分（第２凸部）５３である。図１７は、図１６に示す爪切りの爪切り本体のみを操作レバー側から見た状態を模式的に示す平面図である。
【００６９】
このような爪切り１０６は、爪切り本体１０が、上刃１３と下刃１５とからなる刃部１１を有しているため、この刃部１１を閉じることにより手や足の指の爪を切ることができる。更に、第２凸部５３を備えることにより、刃部１１の上刃１３と下刃１５とを互いに当接させた後、刃部１１の鋭角端部４４においてその他の部分より大きな圧力がかかることになる。そのため、鋭角端部４４において甘皮も良好に切ることができる。
【００７０】
凸状の部分（第２凸部）は、どのような形状であってもよく、例えば、円柱状、円錐状、角柱状などとすることができる。そして、例えば、円柱状の場合、特に制限はないが、直径を０．１〜５ｍｍとすることができる。
【００７１】
第２凸部５３の高さは、特に制限はないが、０．００１〜３ｍｍとすることができる。このような範囲とすることにより、鋭角端部において甘皮もより良好に切ることができる。
【００７２】
第２凸部５３は、爪切り本体と一体に形成してもよいし、別体のもの（凸状物）を用意し、その別体の凸状物を爪切り本体に固定したものであってもよい。別体の凸状物とする場合、その材質は特に制限はない。
【００７３】
第２凸部は、１つであってもよいし、複数形成されていてもよい。
【００７４】
［１−４−４］爪切り本体の付加改良型（２）：
本発明の爪切りの更に他の実施形態は、図１９、図２０に示す爪切り１０８である。この爪切り１０８は、偏圧手段４０が異なること以外は、上述した爪切り１００と同じ構成を有するものである。図１９は、本発明の爪切りの他の実施形態を側面から見た状態を模式的に示す側面図である。図２０は、本発明の爪切りの他の実施形態を正面から見た状態を模式的に示す正面図である。
【００７５】
具体的には、爪切り１０８は、上刃体１２と下刃体１４との間であって、下刃体１４に配設された柱状体６０を備えている。そして、この柱状体６０は、金属の凸部６１と、この凸部６１を覆う筒状のゴム部材６２とからなる。この爪切り１０８は、偏圧手段４０が、上記柱状体６０である。なお、この柱状体６０は、上刃体１２に配設されてもよい。
【００７６】
このような爪切り１０８は、爪切り本体１０が、上刃１３と下刃１５とからなる刃部１１を有しているため、この刃部１１を閉じることにより手や足の指の爪を切ることができる。更に、柱状体６０を備えることにより、操作レバー２０を押し下げると、刃部１１が閉まる直前に柱状体６０が上刃体１２と接触し、刃部１１が閉まることを柱状体６０が一時阻むことになる。そのため、爪切り１０８は、鋭角端部４４側から先に上刃と下刃とが当接する。その結果、刃部１１の上刃１３と下刃１５とを互いに当接させた後、刃部１１の鋭角端部４４においてその他の部分より大きな圧力がかかることになる。従って、鋭角端部４４において甘皮も良好に切ることができる。
【産業上の利用可能性】
【００７７】
本発明の爪切りは、手や足の指の爪を切ることができ、更に、甘皮も良好に切ることができる。
【符号の説明】
【００７８】
１０：爪切り本体、１１：刃部、１２：上刃体、１３：上刃、１４：下刃体、１５：下刃、１７：長側面、１９：短側面、２０：操作レバー、３０：ピン部材、３１：貫通孔、３３：柱状部、３５：頭部、３５ａ：延出部、３７：嵌合部、４０：偏圧手段、４１：切欠部、４４：鋭角端部、５１：当接部分、５１ａ：肉厚部分、５２：凸状の部分（第１凸部）、５３：凸状の部分（第２凸部）、６０：柱状体、６１：金属の凸部、６２：筒状のゴム部材、１００,１０１,１０２,１０３,１０４,１０５,１０６,１０７,１０８：爪切り、Ａ：直角面、Ｌ：刃部の長さ、Ｔ１：長側面側の厚さ、Ｔ２：短側面側の厚さ、Ｘ：距離、Ｙ：上下方向。
【図１】
2016120068.tif 000003
【図２】
2016120068.tif 000004
【図３】
2016120068.tif 000005
【図４】
2016120068.tif 000006
【図５】
2016120068.tif 000007
【図６】
2016120068.tif 000008
【図７】
2016120068.tif 000009
【図８】
2016120068.tif 000010
【図９】
2016120068.tif 000011
【図１０】
2016120068.tif 000012
【図１１】
2016120068.tif 000013
【図１２】
2016120068.tif 000014
【図１３】
2016120068.tif 000015
【図１４】
2016120068.tif 000016
【図１５】
2016120068.tif 000017
【図１６】
2016120068.tif 000018
【図１７】
2016120068.tif 000019
【図１８】
2016120068.tif 000020
【図１９】
2016120068.tif 000021
【図２０】
2016120068.tif 000022